(57)【要約】【課題】コントロール機器に対して音量調整指示を出すことにより、これに接続された他のスピーカ機器に対しても、適切に音量制御を行えるようにする。【解決手段】測定信号生成部２２Ｂからの測定信号を内蔵スピーカを有するテレビ受像機に供給し、同時に、リモコン信号送信部ＣＴｏを通じて徐々に音量を上げるようにする音量制御信号を当該テレビ受像機に供給する。テレビ受像機の内蔵スピーカから放音される測定信号に応じた音声は、聴取位置に配置されるマイクロホンによって集音（受音）され、これが応答信号解析部２２Ｄに供給され、応答信号の音量レベルが取得される。この音量レベルと、これが検出されたときの音量制御信号に応じた制御音量値とを対応付け、これらが集められた対応付けテーブルを形成し、これを用いて音量制御を行う。【選択図】図１
2007306444.tif 000002
【特許請求の範囲】
【請求項１】
スピーカが内蔵された、あるいは、スピーカが接続された１以上のスピーカ機器と、前記１以上のスピーカ機器のそれぞれに対して、音声信号と音量制御信号とを供給するコントロール機器と、聴取位置に配置されると共に前記コントロール機器に接続されたマイクロホンとからなる音響再生システムで用いられる前記コントロール機器であって、
所定の帯域を有する測定信号を生成する測定信号生成手段と、
前記測定信号生成手段において生成された前記測定信号を前記１以上のスピーカ機器のそれぞれ毎に供給する測定信号供給手段と、
前記１以上のスピーカ機器毎に、前記測定信号生成手段で生成される前記測定信号を前記測定信号供給手段を通じて対象のスピーカ機器に供給しながら、徐々に音量を上げるようにする前記音量制御信号を生成して、前記対象のスピーカ機器に供給するように制御する制御手段と、
前記１以上のスピーカ装置毎に、前記マイクロホンにより得られる前記測定信号の応答信号を解析し、音量レベルを取得する応答信号解析手段と、
前記１以上のスピーカ装置毎に、前記応答信号解析手段により取得される音量レベルと、当該音量レベル取得時における前記音量制御信号に応じた制御音量値とを対応付けた対応付けテーブルを作成し、所定の記録媒体に記録するテーブル作成手段と
を備えることを特徴とするコントロール機器。
【請求項２】
請求項１に記載のコントロール機器であって、
使用者からの音量調整指示入力を受け付ける受付手段を備え、
前記制御手段は、前記受付手段を通じて前記音量調整指示入力を受け付けた場合に、前記１以上のスピーカ機器のそれぞれの前記対応付けテーブルを参照し、前記１以上のスピーカ機器のそれぞれから放音される音声の音量レベルが均一になるように、前記１以上のスピーカ機器のそれぞれに供給する音量制御信号を形成し、前記１以上のスピーカ装置のそれぞれに供給することを特徴とするコントロール機器。
【請求項３】
請求項１に記載のコントロール機器であって、
前記テーブル作成手段によって作成される前記１以上のスピーカ装置のそれぞれに対応する対応付けテーブルにおいて、適切にＳ／Ｎ（Signal to Noise Ratio）が確保できている複数の音量レベルから、前記音量レベルの変化の状態を推定し、測定した音量レベルを修正する測定値修正手段を備えることを特徴とするコントロール機器。
【請求項４】
スピーカが内蔵された、あるいは、スピーカが接続された１以上のスピーカ機器と、前記１以上のスピーカ機器のそれぞれに対して、音声信号と音量制御信号とを供給するコントロール機器と、聴取位置に配置されると共に前記コントロール機器に接続されたマイクロホンとからなる音響再生システムの前記コントロール機器で用いられる音量制御方法であって、
前記１以上のスピーカ機器毎に、
所定の帯域を有する測定信号を生成し、これを対象のスピーカ機器に供給する測定信号供給工程と、
前記測定信号供給工程により、前記測定信号を供給しながら、徐々に音量を上げるようにする前記音量制御信号を生成して、前記対象のスピーカ機器に供給する制御信号供給工程と、
前記対象のスピーカ機器について、前記マイクロホンにより得られる前記測定信号の応答信号を解析し、音量レベルを取得する応答信号解析工程と、
前記応答信号解析工程において取得した音量レベルと、当該音量レベル取得時における前記音量制御信号に応じた制御音量値とを対応付けた対応付けテーブルを作成し、所定の記録媒体に記録するテーブル作成工程と
を有することを特徴とする音量制御方法。
【請求項５】
請求項４に記載の音量制御方法であって、
使用者からの音量調整指示入力を受け付ける受付工程と、
前記受付工程において、前記音量調整指示入力を受け付けた場合に、前記１以上のスピーカ機器のそれぞれの前記対応付けテーブルを参照し、前記１以上のスピーカ機器のそれぞれから放音される音声の音量レベルが均一になるように、前記１以上のスピーカ機器のそれぞれに供給する音量制御信号を形成し、前記１以上のスピーカ装置のそれぞれに供給する再生音量制御工程と
を有することを特徴とする音量制御方法。
【請求項６】
請求項４に記載の音量制御方法であって、
前記テーブル作成ステップにおいて作成した前記１以上のスピーカ装置のそれぞれに対応する対応付けテーブルにおいて、適切にＳ／Ｎ（Signal to Noise Ratio）が確保できている複数の音量レベルから、適切にＳ／Ｎが確保できていないであろう部分の前記音量レベルの変化の状態を推定し、測定した音量レベルを修正する測定値修正工程を有することを特徴とする音量制御方法。
【請求項７】
スピーカが内蔵された、あるいは、スピーカが接続された１以上のスピーカ機器と、前記１以上のスピーカ機器のそれぞれに対して、音声信号と音量制御信号とを供給するコントロール機器と、聴取位置に配置されると共に前記コントロール機器に接続されたマイクロホンとからなる音響再生システムの前記コントロール機器に搭載されたコンピュータが、前記１以上のスピーカ機器毎に実行するプログラムであって、
所定の帯域を有する測定信号を生成し、これを対象のスピーカ機器に供給する測定信号供給ステップと、
前記測定信号供給ステップの処理により前記測定信号を供給しながら、徐々に音量を上げるようにする音量制御信号を生成して、前記対象のスピーカ機器に供給する制御信号供給ステップと、
前記対象のスピーカ機器について、前記マイクロホンにより得られる前記測定信号の応答信号を解析し、音量レベルを取得する応答信号解析ステップと、
前記応答信号解析ステップにおいて取得した音量レベルと、当該音量レベル取得時における前記音量制御信号に応じた制御音量値とを対応付けた対応付けテーブルを作成し、所定の記録媒体に記録するテーブル作成ステップと
を実行させることを特徴とする音量制御プログラム。
【請求項８】
請求項７に記載の音量制御プログラムであって、
使用者からの音量調整指示入力を受け付ける受付ステップと、
前記受付ステップにおいて、前記音量調整指示入力を受け付けた場合に、前記１以上のスピーカ機器のそれぞれの前記対応付けテーブルを参照し、前記１以上のスピーカ機器のそれぞれから放音される音声の音量レベルが均一になるように、前記１以上のスピーカ機器のそれぞれに供給する音量制御信号を形成し、前記１以上のスピーカ装置のそれぞれに供給する再生音量制御ステップと
を実行させることを特徴とする音量制御プログラム。
【請求項９】
請求項７に記載の音量制御プログラムであって、
前記テーブル作成ステップにおいて作成した前記１以上のスピーカ装置のそれぞれに対応する対応付けテーブルにおいて、適切にＳ／Ｎ（Signal to Noise Ratio）が確保できている複数の音量レベルから、適切にＳ／Ｎが確保できていないであろう部分の前記音量レベルの変化の状態を推定し、測定した音量レベルを修正する測定値修正ステップを有することを特徴とする音量制御プログラム。
【発明の詳細な説明】
【技術分野】
【０００１】
この発明は、例えば、スピーカ内蔵機器やスピーカ接続機器が接続されるＡＶ（Audio/Visual）アンプ装置などのコントロール機器、このコントロール機器において用いられる音量を制御するための方法及びプログラムに関する。
【背景技術】
【０００２】
ＤＶＤ（Digital Versatile Disc）に記録された映画などのコンテンツやデジタルテレビ放送などにおいては、例えば、５．１チャンネル、７．１チャンネルなどのいわゆるマルチチャンネルの音声データが扱われるようになり、ユーザーが、５．１チャンネルや７．１チャンネルなどのマルチチャンネルの聴取システムを設定する機会も増えてきている。
【０００３】
例えば、５．１チャンネルの聴取システムは、前方左チャンネル、前方中央チャンネル、前方右チャンネル、後方左チャンネル、後方右チャンネル、および、サブウーハーチャンネルの６つの音声チャンネルからなり、これら６つの音声チャンネルに対応する６個のスピーカを用いて音声の再生を行うことが可能なものである。なお、５．１チャンネルなどにおける［．１］という表現は、低周波数成分を補うサブウーハーチャンネルを意味している。
【０００４】
そして、マルチチャンネルの聴取システムにおいては、複数のスピーカを用いるため、各スピーカから放音される音声をユーザーが聴取する聴取位置における、各スピーカとユーザーとの距離、各スピーカの出力特性、スピーカとユーザーの間に存在する障害物などの影響を受けて、マルチチャンネルの聴取システムによって形成される再生音場が適切なものとならない場合がある。例えば、前方中央に定位すべき音像が、右側や左側に片寄ってしまうなどといったことが発生する。
【０００５】
このため、マルチチャンネルの聴取システムの中には、各スピーカから放音する音声を適切に遅延させるようにすることによって、適切な再生音場を形成で切るようにするいわゆるタイムアライメント機能を備えたものがある。
【０００６】
タイムアライメント機能は、各スピーカに音声信号を供給するＡＶアンプなどのＡＶコントロール機器に設けられる。そして、ユーザーである聴取者が複数のスピーカからの再生音声を聴取する位置（聴取位置）にマイクロホンを設置し、各スピーカから放音される音声を集音して、ＡＶコントロール機器に入力することができるようにする。
【０００７】
そして、ＡＶコントロール機器において、例えば、ＴＳＰ（Time-Stretched Pulse：時間伸長パルス）信号等のテスト信号を発生させて、これを自機に接続された複数のスピーカのそれぞれに順番に供給して、各スピーカから順番にテスト信号の再生音声を放音するようにする。
【０００８】
このようにして放音されるテスト信号の再生音声を、聴取位置に設置したマイクロホンで集音し、これをＡＶコントロール機器に戻すようにする。これにより、ＡＶコントロール機器においては、各スピーカにテスト信号を供給したタイミングと、そのテスト信号がスピーカから放音されて、これが聴取位置のマイクロホンで集音されて戻ってくるタイミングとを知ることができる。
【０００９】
すなわち、ＡＶコントロール機器においては、自機に接続されたスピーカのそれぞれ毎に、放音された音声が聴取位置のマイクロホンで集音されるまでにかかる時間（各スピーカから聴取位置のマイクロホンまでの音声の到達時間）を把握することができる。これに応じて、各スピーカから放音される音声が、聴取位置のマイクロホンにおいて同時に集音されるように、各スピーカに供給する音声信号の遅延量を調整することによって、スピーカのいわゆるタイムアライメントが行われ、音声の良好な聴取環境を整えることが可能となる。
【００１０】
なお、上述した聴取システムにおけるスピーカのタイムアライメントに関連する技術としては、特許文献１（温度変化をも考慮してタイムアライメントを行えるようにする技術）、特許文献２（タイムアライメントのためのリスニングポイント（聴取位置）の設定操作を容易にし、タイムアライメントを有効に利用できるようにする技術）、特許文献３（測定位置の音圧レベルを一定にする技術）などがある。
【００１１】
なお、上述した特許文献は以下に示す通りである。
【特許文献１】特開平１０−２４８０９７号公報
【特許文献２】特開平１０−２４８０９８号公報
【特許文献３】特開２０００−２６１９００号公報
【発明の開示】
【発明が解決しようとする課題】
【００１２】
上述したように、マルチチャンネルの聴取システムにおいては、いわゆるタイムアライメント機能を用いることによって、各スピーカから放音される音声を同時に聴取者が聴取可能な再生音場を整えることが可能となる。しかし、聴取システムの構成によっては、再生音声の音量の調整に手間取る場合があると考えられる。
【００１３】
例えば、マルチチャンネルの聴取システムを、ＤＶＤプレイヤーなどの再生装置と、ＡＶアンプなどのＡＶコントロール機器と、テレビ受像機と、複数の外部スピーカとで構築する場合には、ＤＶＤプレイヤーからの音声信号を、ＡＶコントロール機器を通じてテレビ受像機と外部スピーカとに供給し、テレビ受像機の内蔵スピーカからも、また、外部スピーカからも、所定のチャンネルの音声を放音するように接続する場合がある。
【００１４】
このように接続した場合において、音量を調整する場合には、ＡＶコントロール機器とテレビ受像機とは、本来的に異なる機器であるために、ＡＶコントロール機器に対して外部スピーカから放音される音声の音量調整を行うと共に、テレビ受像機に対して内蔵スピーカから放音される音声の音量調整を行う必要がある。すなわち、ＡＶコントロール機器とテレビ受像機との双方に対して音量調整を行う必要が生じる。
【００１５】
ＡＶコントロール機器やテレビ受像機に対して音量の調整を指示する場合には、リモートコントローラ（以下、リモコンと略称する。）や機器に設けられているつまみやボタンスイッチ、あるいは、ＧＵＩ（Graphical User Interface）などを通じて行うので、何れか一方の機器に対して行った音量調整を他方の機器に対して行うようにすることも考えられるが、音量の調整単位は、メーカー間においては、あるいは、機器間においても統一されておらず、ばらばらであるために、結局、各機器に対して音量調整を個別に行う必要がある。
【００１６】
また、ボリューム値（リモコンのレベル）と音量の関係も一般的にはリニアでない場合が多い。例えば、機器の操作利便性を高めるために、同じボリューム値変化であっても小さい音では小さく、大きい音では大きく刻まれる場合や、ラウドネスを考えて独自のカーブが設定されている場合もある。
【００１７】
このため、例えば、ＡＶコントロール機器に対して、リモコンのボリュームアップキーを１回だけ操作して、音量を上げた場合であっても、テレビ受像機に対しては、ボリュームアップキーを３回操作しないと、テレビ受像機の内蔵スピーカからの放音音声と、外部スピーカからの放音音声とのつり合いが取れないといったことが発生する。したがって、上述したように、ユーザー（聴取者）が２つの機器に対して、あるレベルで音量を合わせたとしても、次に音量を変える場合には、再度、両方の機器に対して音量を調整する必要があり、ユーザーは大変わずらわしい作業を強いられていた。
【００１８】
以上のことにかんがみ、この発明は、スピーカ内蔵機器やスピーカ接続機器であるスピーカ機器が接続されるコントロール機器に対して音量調整指示を出すことにより、これに接続された１以上のスピーカ機器に対しても、適切に音量制御を行えるようにすることを目的とする。
【課題を解決するための手段】
【００１９】
上記課題を解決するため、請求項１に記載の発明のコントロール機器は、
スピーカが内蔵された、あるいは、スピーカが接続された１以上のスピーカ機器と、前記１以上のスピーカ機器のそれぞれに対して、音声信号と音量制御信号とを供給するコントロール機器と、聴取位置に配置されると共に前記コントロール機器に接続されたマイクロホンとからなる音響再生システムで用いられる前記コントロール機器であって、
所定の帯域を有する測定信号を生成する測定信号生成手段と、
前記測定信号生成手段において生成された前記測定信号を前記１以上のスピーカ機器のそれぞれ毎に供給する測定信号供給手段と、
前記１以上のスピーカ機器毎に、前記測定信号生成手段で生成される前記測定信号を前記測定信号供給手段を通じて対象のスピーカ機器に供給しながら、徐々に音量を上げるようにする前記音量制御信号を生成して、前記対象のスピーカ機器に供給するように制御する制御手段と、
前記１以上のスピーカ装置毎に、前記マイクロホンにより得られる前記測定信号の応答信号を解析し、音量レベルを取得する応答信号解析手段と、
前記１以上のスピーカ装置毎に、前記応答信号解析手段により取得される音量レベルと、当該音量レベル取得時における前記音量制御信号に応じた制御音量値とを対応付けた対応付けテーブルを作成し、所定の記録媒体に記録するテーブル作成手段と
を備えることを特徴とする。
【００２０】
この請求項１に記載の発明のコントロール機器によれば、制御手段の制御により、測定信号生成手段において生成された測定信号が、測定信号供給手段を通じて対象のスピーカ機器に供給するようにされ、同時に、制御手段により徐々に音量を上げるようにする音量制御信号が生成されて、対象のスピーカ機器に供給される。これにより、対象のスピーカ機器のスピーカからは、徐々に音量が上げられるようにされる測定信号に応じた音声が放音される。
【００２１】
このようにしてスピーカ機器のスピーカから放音される測定信号に応じた音声は、聴取位置に配置されるマイクロホンによって集音（受音）され、電気信号に変換されて応答信号解析手段に供給され、ここで応答信号の音量レベルが取得される。この音量レベルは、テーブル作成手段によって、当該音量レベルが検出されたときの音量制御信号に応じた制御音量値（制御ボリューム値）と対応付けられ、これらが集められた対応付けテーブルが形成され、記録媒体に記録される。
【００２２】
このようにして、１以上のスピーカ機器のそれぞれ毎に、音量制御信号に基づく制御音量値と、測定した応答信号の音量レベルとを対応付けた対応付けテーブルが作成される。すなわち、スピーカ機器毎に、どの制御音量値の時に、スピーカから放音される音声の音量レベルがどの位になるのかを把握することができるようにされる。そして、この対応付けテーブルは、例えば、楽曲などの聴取対象の音声信号が再生されている場合において、ユーザーから音量調整が指示された場合に、どのスピーカ機器から放音される音声についても、ユーザーの指示に応じた適正な音量となるように制御するための情報として用いられることになる。
【００２３】
また、請求項２に記載の発明のコントロール機器は、請求項１に記載のコントロール機器であって、
使用者からの音量調整指示入力を受け付ける受付手段を備え、
前記制御手段は、前記受付手段を通じて前記音量調整指示入力を受け付けた場合に、前記１以上のスピーカ機器のそれぞれの前記対応付けテーブルを参照し、前記１以上のスピーカ機器のそれぞれから放音される音声の音量レベルが均一になるように、前記１以上のスピーカ機器のそれぞれに供給する音量制御信号を形成し、前記１以上のスピーカ装置のそれぞれに供給することを特徴とする。
【００２４】
この請求項２に記載の発明のコントロール機器によれば、受付手段を通じて音量調整指示入力が受け付けられると、制御手段によって、１以上のスピーカ機器のそれぞれの対応付けテーブルが参照され、１以上のスピーカ機器のそれぞれから放音される音声の音量レベルが均一になるように、１以上のスピーカ機器のそれぞれに供給する音量制御信号が形成され、これが１以上のスピーカ装置のそれぞれに供給される。
【００２５】
これにより、音量の調整単位は、メーカー間においては、あるいは、機器間においても統一されておらず、ばらばらであるために、従来は、各機器に対して音量調整を個別に行う必要があったが、対応付けテーブルを介して、各スピーカ機器から放音する音声の音量レベルが均一になるように、各スピーカ機器に対して供給する音量制御信号を個別に生成し、これを対応するスピーカ機器に供給して、スピーカ機器毎に適切に音量制御を行うことができるようにされる。
【００２６】
また、請求項３に記載の発明のコントロール機器は、請求項１に記載のコントロール機器であって、
前記テーブル作成手段によって作成される前記１以上のスピーカ装置のそれぞれに対応する対応付けテーブルにおいて、適切にＳ／Ｎ（Signal to Noise Ratio）が確保できている複数の音量レベルから、前記音量レベルの変化の状態を推定し、測定した音量レベルを修正する測定値修正手段を備えることを特徴とする。
【００２７】
この請求項３に記載の発明のコントロール機器によれば、テーブル作成手段によって作成された対応付けテーブルのデータは、制御音量値が低い部分では暗騒音などの影響を受けて、Ｓ／Ｎを十分に確保できない場合があるので、測定値修正手段によって、Ｓ／Ｎが十分に確保できている部分のデータに基づいて、音量レベルの変化が推定され、測定した音量レベルが修正される。これにより、測定した音量レベルを適正なものに修正することができ、より適正にスピーカ機器の音量制御を行うことができるようにされる。
【発明の効果】
【００２８】
この発明によれば、スピーカ内蔵機器やスピーカが接続されたスピーカ接続機器などの複数のスピーカ機器を１つのコントロール機器が制御するシステムにおいて、コントロール機器に対して音量の調整をすることにより、これに接続された全てのスピーカ機器の音量も同じレベルで追従するように制御することができる。したがって、コントロール機器に接続されたスピーカ機器のそれぞれを意識することなく、シームレスな使用環境を実現できる。
【発明を実施するための最良の形態】
【００２９】
以下、図を参照しながら、この発明による装置、方法、プログラムの一実施の形態について説明する。以下に説明する実施の形態においては、マルチチャンネルの聴取システム（以下、音響再生システムという。）に、この発明を適用した場合を例にして説明する。
【００３０】
［実施の形態の概要］
図１は、この発明による装置、方法、プログラムの一実施の形態が適用され音響再生システムの外観および接続の概要を説明するための図である。図１に示すように、この実施の形態の音響再生システムは、ソース信号再生機器（以下、単に再生機器という。）１と、ＡＶコントロール機器（以下、単にコントロール機器という。）２と、テレビ受像機３と、前方中央スピーカ（センタースピーカ）ｏＣと、後方左スピーカｏＳＬと、後方右スピーカｏＳＲと、コントロール機器２に対して接続される測定用マイクロホン（以下、測定用マイクという。）ＭＩＣとからなっている。
【００３１】
図１にも示したように、再生機器１は、ＤＶＤプレイヤーやＢＤ（Blu-ray Disc）プレイヤーなど、記録媒体に記録されたコンテンツデータを再生して出力するものである。コントロール機器２は、ＡＶアンプなどの機器であり、再生機器１からの映像信号や音声信号を処理するものである。また、テレビ受像機３は、内蔵スピーカＴＶＬ、ＴＶＲや表示素子を備え、コントロール機器２からの音声信号や映像信号を処理して出力するものである。
【００３２】
また、センタースピーカｏＣと、後方左スピーカｏＳＬと、後方右スピーカｏＳＲとは、いずれも機器内部にではなく、機器の外部にスピーカ単体として設けられたものである。また、測定用マイクＭＩＣは、後述もするが、例えば再生音場の解析を行うなどのために各スピーカから放音される測定信号（テスト信号）を受音（集音）するものである。
【００３３】
なお、センタースピーカｏＣ、後方左スピーカｏＳＬ、後方右スピーカｏＳＲのそれぞれの参照符号における文字「ｏ」は、テレビ受像機３に内蔵される内部スピーカＴＶＲ、ＴＶＬと区別するために、当該スピーカはスピーカ単体として外部（ｏｕｔ）に設けられたものであることを示すものである。
【００３４】
また、コントロール機器２は、図１においては図示しないが赤外線のリモコン信号の受光部ＲＭを備え、自機用のリモコン１００からのユーザー操作に応じたリモコン信号を受光して、このリモコン信号に応じて各部を制御することができるものである。また、テレビ受像機３もリモコン信号受信部ＣＴｉを備え、図示しないリモコンを通じて種々の指示入力を行うことが可能である。
【００３５】
また、この実施の形態の音響再生システムにおいては、後述もするが、コントロール機器２からリモコン信号を送出するためのリモコン信号送信部ＣＴｏ（いわゆるＡＶマウス）から送出されるリモコン信号によって、テレビ受像機３を制御することができるようにしている。つまり、コントロール機器２から送出するリモコン信号によって、テレビ受像機３を制御することができるようにしている。
【００３６】
そして、図１に示すように、再生機器１から出力されてコントロール機器２に供給される音声信号は、エンコードされたマルチチャンネルのデジタル信号である。この実施の形態において用いられるマルチチャンネルの音声信号は、Ｌ（前方左）チャンネル、Ｒ（前方右）チャンネル、ＳＲ（後方右）チャンネル、ＳＬ（後方左）チャンネル、Ｃ（前方中央（センター））チャンネルの５つのチャンネルからなるものである。なお、ＳＲチャンネル、ＳＬチャンネルの文字Ｓは、サラウンドを意味するものである。
【００３７】
コントロール機器２は、再生機器１からのエンコードされた音声信号の供給を受けて、これをデコードして、Ｌチャンネル、Ｒチャンネル、ＳＲチャンネル、ＳＬチャンネル、Ｃチャンネルの各チャンネルの音声信号に分離する。そして、ＲチャンネルとＬチャンネルの音声信号をテレビ受像機３に供給し、ＳＬチャンネルの音声信号を後方右スピーカｏＳＬに供給し、ＳＲチャンネルの音声信号を後方右スピーカｏＳＲに供給し、また、Ｃチャンネルの音声信号をセンタースピーカｏＣに供給する。
【００３８】
これにより、ＬチャンネルとＲチャンネルの音声信号に応じた音声は、テレビ受像機３の内蔵スピーカＴＶＬ、ＴＶＲを通じて放音される。また、ＳＬチャンネルの音声信号に応じた音声は後方左スピーカｏＳＬから、ＳＲチャンネルの音声信号に応じた音声は後方右スピーカｏＳＲから、また、Ｃチャンネルの音声信号に応じた音声はセンタースピーカｏＣからそれぞれ放音するようにされる。
【００３９】
このように、図１に示した音響再生システムは、テレビ受像機３の内蔵スピーカＴＶＲ、ＴＶＬと、外部スピーカ（ＴＶから見た外部の意）ｏＣ、ｏＳＲ、ｏＳＬを併用することにより、効率的にスピーカを使ってマルチチャンネルの音声信号を再生をすることが可能なものである。しかしながら、音量制御に関しては本来的にテレビ受像機３とコントロール機器２とは、それぞれ独立した仕組みである。
【００４０】
したがって、全体の音をバランス良く大きくしたり小さくしたりする場合、テレビ受像機３、コントロール機器２それぞれのリモコンを使うなどして、それぞれの機器に対してユーザー自身が調整する必要があった。この場合、リモコンの調整の単位及び、実際の音量に対する効果は、各機器、メーカーごとに違っているため、この調整作業は大変煩雑なものになる。
【００４１】
そこで、この実施の形態の音響再生システムにおいては、図１に示したコントロール機器２に対してのみリモコン１００を通じて音量を指定することで、若しくは、コントロール機器２のボリュームのつまみを操作することで、テレビ受像機３の内蔵スピーカＴＶＬ、ＴＶＲの音量レベルも適切に自動制御することができるようにしている。つまり、ユーザー（聴取者）は、１つのリモコンでバランスのよいマルチチャンネル音量環境を享受することができるし、利便性を大幅に向上させることができるようにしている。
【００４２】
具体的には、以下に詳述するが、測定プロセスとして、コントロール機器２を通じてテレビ受像機３の音量を制御しながら、コントロール機器２からの測定信号に応じた音声をテレビ受像機３の内蔵スピーカＴＶＬ、ＴＶＲから放音し、これをリスニングポイントに設置した測定用マイクＭＩＣで受音してコントロール機器２に戻す処理を行う。
【００４３】
そして、コントロール機器２において、音量の制御のレベル（制御音量値）と、測定用マイクＭＩＣで受音した応答信号の音量レベルとを関連付けて把握し、これをコントロール機器２内のメモリにテーブルとして記録する。これにより、どの制御のレベル（制御音量値）の時に、テレビ受像機３の内蔵スピーカＴＶＬ、ＴＶＲから放音される音声の音量レベルはリスニングポイントではどのくらいのレベルになるのかを適切に把握できる。
【００４４】
そして、再生プロセスとして、コンテンツ再生時は、コントロール機器２内のメモリから音量についての記録情報（データベース）を参照し、そのテーブルから、コントロール機器２内外のすべてのスピーカ再生音量を、ゲインコントロールや外部制御手段を用いて同じレベルになるように調整する。
【００４５】
つまり、インターフェイスや独自のコントロール線を介してコントロール機器２がテレビ受像機３における音声信号に対するゲインコントロールを実行したり、あるいは、コントロール機器２からのリモコン信号を送出するリモコン信号送信部ＣＴｏを通じてテレビ受像機３の音量を調整したりすることによって、コントロール機器２内外のすべてのスピーカ再生音量を同じ音量レベルになるように調整する。
【００４６】
なお、図１に示した音響再生システムは、再生装置によって再生される映像についても、テレビ受像機３の表示素子に表示することができるものである。しかし、この発明は、音量制御に関するものであり、説明を簡単にするため、映像信号の処理系についての詳細な説明については省略することとする。
【００４７】
［音響再生システムの接続と動作について］
図２は、図１に示した音響再生システムにおいて、コントロール機器２（制御する側）と、テレビ受像機３（制御される側）と、外部スピーカｏＣ、ｏＳＲ、ｏＳＬと、測定用マイクＭＩＣとの接続状態、および、コントロール機器２、テレビ受像機３の内部構成の概要を説明するためのブロック図である。
【００４８】
コントロール機器２は、図２に示すように、映像信号の入力端子Ｖｉｎと音声信号の入力端子Ａｉｎと、インターフェイス回路（以下Ｉ／Ｆ回路という。）２１と、ＤＳＰ（digital Signal Processor）やＣＰＵ（Central Processing Unit）等からなる信号処理部２２、ＤＡＣ（Digital-Analog Converter）２３、映像音声プリアウト端子群２４と、ＤＡＣ／ＡＭＰ（Digital-Analog Converter/Amplifier）２５と、スピーカ出力端子群２６と、リモコン信号の受光部ＲＭと、マイク入力端子Ｍｉｎと、マイクアンプ（図においては、ＭＩＣ−ＡＭＰと記載。）２７と、ＡＤＣ（Analog-Digital Converter）２８と、設定値保存データベース２９とを有するものである。
【００４９】
なお、映像音声プリアウト端子群２４は、図２に示したように、映像出力端子（Ｖ）を備えると共に、音声信号の出力端子として、Ｌチャンネルの出力端子（Ｌ）、Ｒチャンネルの出力端子（Ｒ）、ＳＬチャンネルの出力端子（ＳＬ）、ＳＲチャンネルの出力端子（ＳＲ）、Ｃチャンネルの出力端子（Ｃ）とを有するものである。また、スピーカ出力端子群２６は、図２に示したように、音声信号の出力端子として、Ｌチャンネルの出力端子（Ｌ）、Ｒチャンネルの出力端子（Ｒ）、ＳＬチャンネルの出力端子（ＳＬ）、ＳＲチャンネルの出力端子（ＳＲ）、Ｃチャンネルの出力端子（Ｃ）とを有するものである。
【００５０】
また、テレビ受像機３は、図２に示したように、映像音声入力端子群３１、画像表示部３２、Ｌチャンネル用アンプ（以下、ＡＭＰと略称する。）３３Ｌ、Ｒチャンネル用アンプ（以下、ＡＭＰと略称する。）３３Ｒ、音量コントローラ３４、Ｌチャンネル用の内蔵スピーカＴＶＬ、Ｒチャンネル用の内蔵スピーカＴＶＲを備えたものである。なお、映像音声入力端子群３１は、図２に示したように、映像入力端子（Ｖ）を備えると共に、音声信号の入力端子として、Ｌチャンネルの入力端子（Ｌ）と、Ｒチャンネルの入力端子（Ｒ）とを備えるものである。
【００５１】
そして、この実施の形態の音響再生システムにおいては、図２に示したように、コントロール機器２の映像音声プリアウト端子群２４の内のＬチャンネルの出力端子とテレビ受像機３の映像音声入力端子群３１のＬチャンネルの入力端子とを接続すると共に、コントロール機器２の映像音声プリアウト端子群２４の内のＲチャンネルの出力端子とテレビ受像機３の映像音声入力端子群３１のＲチャンネルの入力端子とを接続するように構成している。
【００５２】
これにより、コントロール機器２からのＬチャンネルの音声信号に応じた音声とＲチャンネルの音声信号に応じた音声とをテレビ受像機３の内蔵スピーカＴＶＬ、ＴＶＲから放音することができるようにしている。したがって、後述もするように、コントロール機器２において発生させた測定信号に応じた音声についても、テレビ受像機３の内蔵スピーカＴＶＬ、ＴＶＲから放音することができるようにされる。
【００５３】
また、この実施の形態の音響再生システムにおいて、コントロール機器２はテレビ受像機３のボリューム（音量）を制御する手段を備えている。コントロール機器２がテレビ受像機３の音量を制御する手段としては、赤外線や無線などのリモコン信号による遠隔制御、あるいは、ＨＤＭＩ（High-Definition Multimedia Interface）やＩＥＥＥ（Institute of Electrical and Electronics Inc）１３９４などの制御信号線を有する汎用デジタルインターフェイスの制御信号線を通じた制御、その他、デジタルあるいはアナログの独自規格のインターフェイスを用いた制御など、種々の態様でコントロール機器２が、テレビ受像機３の音量を制御する手段を備えることが可能である。
【００５４】
特に、テレビ受像機においては殆どの機種がリモコンによってボリューム制御可能である。このため、この実施の形態の音響再生システムにおいては、上述もしたように、赤外線リモコン信号を制御手段として用いるようにしている。具体的には、図１に示したようにコントロール機器２に接続された赤外線送信部ＣＴｏを、テレビ受像機３のリモコン受光部ＣＴｉに近づけて設置することにより、コントロール機器２がテレビ受像機３を制御することができるようにしている。
【００５５】
なお、上述したように、この実施の形態の音響再生システムにおいては、コントロール機器２に接続された赤外線送信部ＣＴｏとテレビ受像機３のリモコン受光部ＣＴｉとを接続する構成を取っているが、コントロール機器２がテレビ受像機３の音量を制御する手段としては種々のものが考えられる。
【００５６】
このため、図２においては、コントロール機器２の赤外線送信部ＣＴｏをコントロール機器２が備える制御信号の出力端としてとらえ、また、テレビ受像機３が備える赤外線受光部ＣＴｉを制御信号の入力端ＣＴｉとしてとらえて、両者を点線で示したように接続することによって、コントロール機器２がテレビ受像機３の音量制御を行うことが可能である構成を示している。
【００５７】
また、この実施の形態の音響再生システムにおいては、図２に示したように、コントロール機器２のスピーカ出力端子２６内の出力端子の内、ＳＬチャンネルの出力端子と後方左スピーカｏＳＬとが接続され、ＳＲチャンネルの出力端子と後方右スピーカｏＳＲとが接続され、さらにＣチャンネルの出力端子とセンタースピーカｏＣとが接続される。これにより、ＳＬチャンネル、ＳＲチャンネル、Ｃチャンネルの各チャンネルの音声信号に応じた音声は、外部スピーカｏＣ、ｏＳＬ、ｏＳＲから放音することができるようにしている。
【００５８】
また、図２に示したように、コントロール機器２の映像音声プリアウト端子群２４の映像出力端子（Ｖ）と、テレビ受像機３の映像音声入力端子群３１の映像入力端子（Ｖ）とが接続され、コントロール機器２を通じて、再生装置１からの映像信号をテレビ受像機３に供給するようにしている。これにより、再生装置１からの映像信号は、コントロール機器２を通じてテレビ受像機３の画像表示部３２に供給され、当該画像表示部３２の表示素子の表示画面に当該映像信号に応じた映像が映出されるようになっている。
【００５９】
そして、この実施の形態の音響再生システムにおいては、再生装置１からの映像信号と音声信号とは、コントロール機器２の映像入力端子Ｖｉｎと音声入力端子Ａｉｎとを通じて受け付けられ、Ｉ／Ｆ回路２１に供給される。Ｉ／Ｆ回路２１は、映像信号についてはテレビ受像機３に供給する形式の信号に、また、音声信号については、自機において処理可能な形式の信号に変換する。
【００６０】
この後、Ｉ／Ｆ回路２１は、映像信号については、映像音声プリアウト端子群２４の映像出力端子（Ｖ）を通じてテレビ受像機３に供給し、音声信号については信号処理部２２に供給する。なお、この実施の形態において、信号処理部２２は、上述もしたように、ＤＳＰやＣＰＵ等によって構成され、音声信号に対して種々の処理を行うことができると共に、各部に供給する制御信号を形成して出力することにより、各部を制御する機能をも有するものである。
【００６１】
信号処理部２２は、これに供給される音声信号（エンコードされたマルチチャンネルのデジタル信号）をデコードし、Ｌ、Ｒ、ＳＬ、ＳＲ、Ｃの各チャンネルの音声信号に分離して、各チャンネルの音声信号に対してゲイン調整などの必要な処理を施した後に、そのそれぞれをＤＡＣ２３とＤＡＣ／ＡＭＰ２５とに供給する。
【００６２】
ＤＡＣ２３は、これに供給される各チャンネルの音声信号（デジタル信号）をアナログ音声信号に変換し、これを映像音声プリアウト端子群２４の対応するチャンネルの音声出力端子に供給する。上述もしたように、この実施の形態の音響再生システムにおいては、映像音声プリアウト端子群２４の内、Ｌチャンネルの出力端子とＲチャンネルの出力端子とが、テレビ受像機３の映像音声入力端子群３１のＬチャンネルの入力端子とＲチャンネルの入力端子に接続されている。
【００６３】
これにより、再生装置１からのマルチチャンネルの音声信号の内、Ｌチャンネルの音声信号が、テレビ受像機３のＬチャンネルの入力端子とＡＭＰ３３Ｌとを通じてテレビ受像機３の内蔵スピーカＴＶＬに供給され、また、Ｒチャンネルの音声信号が、テレビ受像機３のＲチャンネルの入力端子とＡＭＰ３３Ｒとを通じてテレビ受像機３の内蔵スピーカＴＶＲに供給されて、そのそれぞれから対応するチャンネルの音声信号に応じた音声を放音することができるようにされる。
【００６４】
また、ＤＡＣ／ＡＭＰ２５は、これに供給される各チャンネルの音声信号（デジタル信号）をアナログ音声信号に変換すると共に、増幅処理し、処理後の各チャンネルの音声信号をスピーカ出力端子群２６の対応するチャンネルの出力端子に供給する。上述もしたように、この実施の形態の音響再生システムにおいては、スピーカ出力端子群２６の内、ＳＬチャンネルの出力端子とＳＲチャンネルの出力端子とＣチャンネルの出力端子とが、対応する外部スピーカｏＳＬ、ｏＳＲ、ｏＣに接続されている。
【００６５】
これにより、再生装置１からのマルチチャンネルの音声信号の内、ＳＬチャンネルの音声信号が外部スピーカである後方左スピーカｏＳＬに供給され、ＳＲチャンネルの音声信号が外部スピーカである後方右スピーカｏＳＲ２供給され、Ｃチャンネルの音声信号がセンタースピーカｏＣに供給されて、そのそれぞれから対応するチャンネルの音声信号に応じた音声を放音することができるようにされる。
【００６６】
そして、図１にも示したように、コントロール機器２のリモコン１００に対して、音量を調整する操作（音量のアップ／ダウン操作）を行うと、これに応じたリモコン信号がリモコン１００から送出され、これが図２に示すようにコントロール機器２に設けられているリモコン信号の受光部ＲＭによって受光されると共に、電気信号に変換されて信号処理部２２に供給される。
【００６７】
信号処理部２２は、これに供給されたリモコン信号に応じて、自機から出力する各チャンネルの音声信号についてのゲイン調整を行って、外部スピーカｏＳＬ、ｏＳＲ、ｏＣのそれぞれから放音する音声の音量を調整する。さらに、信号処理部２２は、設定値保存データベース２９の情報を参照し、テレビ受像機３に供給する音量調整のための制御信号（音量制御信号）を形成し、これを制御信号の出力端ＣＴｏを通じて、テレビ受像機３の制御信号の入力端ＣＴｉに供給する。
【００６８】
テレビ受像機３は、制御信号の入力端ＣＴｉを通じて、コントロール機器２からの音量制御信号を受け付け、これを音量コントローラ３４に供給する。音量コントローラ３４は、コントロール機器２からの音量制御信号に基づいて、ＡＭＰ３３ＬとＡＭＰ３３Ｒとを制御し、内蔵スピーカＴＶＬ、ＴＶＲから放音する音声の音量を調整する。
【００６９】
このようにして、コントロール機器２は、自機に接続された外部スピーカｏＳＬ、ｏＳＲ、ｏＣから放音する音声の音量のみならず、テレビ受像機３の内蔵スピーカＴＶＬ、ＴＶＲから放音する音声の音量をもテレビ受像機３を制御することにより適切に調整することができるようにしている。
【００７０】
そして、コントロール機器２が、テレビ受像機３の内蔵スピーカＴＶＬ、ＴＶＲからの放音音声の音量を適切に制御するため、上述もしたように、測定プロセスとして、コントロール機器２を通じてテレビ受像機３の音量を制御しながら、コントロール機器２からの測定用信号に応じた音声をテレビ受像機３の内蔵スピーカＴＶＬ、ＴＶＲから放音し、これをリスニングポイントに設置した測定用マイクＭＩＣで受音してコントロール機器２に戻す処理を行い、コントロール機器２において、音量の制御のレベル（制御音量値）と、測定用マイクＭＩＣで受音した応答信号の音量レベルとを関連付けて把握できるようにしている。
【００７１】
そして、音声信号の再生時においては、再生プロセスとして、コントロール機器２が測定プロセスによって把握した情報に基づいて、自機に直接に接続された外部スピーカのみならず、テレビ受像機３の内臓スピーカＴＶＬ、ＴＶＲから放音する音声の音量についても適切に制御することができるようにしている。換言すれば、コントロール機器２は、機器に内蔵されたスピーカや外部スピーカなどのすべてのスピーカ再生音量を、同じレベルになるように調整することができるようにしている。
【００７２】
［測定プロセスについて］
上述したように、この発明は大きくわけて、コントロール機器２側からテレビ受像機３の内蔵スピーカや外部スピーカに対して測定信号を送り測定用マイクＭＩＣで受音解析する測定プロセスと、解析したデータを使用する再生プロセスとがある。まず、測定プロセスについて説明する。図３は、測定プロセスを実行するコントロール機器２の構成（測定モジュール部分）を説明するためのブロック図である。
【００７３】
図３において、シーケンスコントローラ２２Ａ、測定信号生成部２２Ｂ、出力切換部２２Ｃ、応答信号解析部２２Ｄのそれぞれは、ＤＳＰ等によって構成される信号処理部２２によって、その機能が実現されるものである。すなわち、信号処理部２２は、測定プロセスを実行するために、シーケンスコントローラ２２Ａ、測定信号生成部２２Ｂ、出力切換部２２Ｃ、応答信号解析部２２Ｄの各機能を実現する。また、ＤＡＣ２３とＤＡＣ／ＡＭＰ２５とは、各音声チャンネル毎にＤＡＣやＤＡＣ／ＡＭＰが設けられたものであることを示している。
【００７４】
また、図３に示すように、測定用マイクＭＩＣで受音された応答信号は、マイク入力端子Ｍｉｎを通じてコントロール機器２に供給され、マイクアンプ２７で増幅された後に、ＡＤＣ２８でデジタル信号に変換されて、ＤＳＰ等２２が実現する応答信号解析部２２Ｄに供給される構成となっている。
【００７５】
図３に示した構成の測定モジュールを実現するコントロール機器２が主導して、この実施の形態の音響再生システムにおいて上述した測定プロセスが実現される。以下に、この実施の形態の音響再生システムにおいて行われる測定プロセスの詳細を、図４、図５に示すフローチャートを参照しながら説明する。
【００７６】
図４、図５は、この実施の形態の音響再生システムにおいて行われる測定プロセスのシーケンス（処理順序）を説明するためのフローチャートであり、主に、コントロール機器２の信号処理部２２において実行される処理である。なお、以下に説明するように、図４に示す処理が、テレビ受像機３の内蔵スピーカＴＶＬ、ＴＶＲから放音される音声についての測定プロセスであり、図５に示す処理が、外部スピーカｏＳＬ、ｏＳＲ、ｏＣから放音される音声についての測定プロセスである。
【００７７】
測定プロセスを実行するための所定の操作をコントロール機器２に対して直接に、あるいは、リモコン１００を通じて行うことにより、コントロール機器２の信号処理部２２においては、図４、図５に示す処理を開始する。信号処理部２２は、シーケンスコントローラ２２Ａ、測定信号生成部２２Ｂ、出力切換部２２Ｃ、応答信号解析部２２Ｄの各機能を実現し、まず、シーケンスコントローラ２２Ａの機能を用いて、音量制御信号を形成し、テレビ受像機３の内蔵スピーカＴＶＬ、ＴＶＲから放音する音声の音量（ボリューム）を最小に設定する（ステップＳ１０１）。
【００７８】
この実施の形態の音響再生システムにおいては、上述もしたように、音量制御信号はリモコン信号としてコントロール機器２からテレビ受像機３に供給される。これにより、テレビ受像機３においては、音量コントローラ３４によってＡＭＰ３３Ｌ、ＡＭＰ３３Ｒが制御され、内蔵スピーカＴＶＬ、ＴＶＲから放音する音声の音量が最小となるようにされる。
【００７９】
そして、信号処理部２２内のシーケンスコントローラ２２Ａは、測定信号生成部２２Ｂを制御して、測定信号（テスト信号）を生成すると共に、出力切換部２２Ｃを制御して、測定信号生成部２２Ｂからの測定信号を、ＤＡＣ２３および映像音声プリアウト端子群のＬチャンネルの出力端子とＲチャンネルの出力端子とを通じてテレビ受像機３の内蔵スピーカＴＶＬ、ＴＶＲに供給するようにする（ステップＳ１０２）。なお、測定信号の生成は、所定の信号処理によって自動生成してもよいし、例えば信号処理部内等のメモリに予め用意されている測定信号を読み出して出力するようにしてもよい。
【００８０】
信号処理部２２のシーケンスコントローラ２２Ａは、測定信号生成部２２Ｂを制御して、測定信号を再生するようにしながら（テレビ受像機３に供給しながら）、音量制御信号を形成し、これをテレビ受像機３に供給することにより、テレビ受像機３の内蔵スピーカＴＶＬ、ＴＶＲから放音する音声の音量を上げるようにする（ステップＳ１０３）。
【００８１】
そして、ユーザー（視聴者）のリスニング位置には、図１、図２に示したように測定用マイクＭＩＣが設置されており、これはコントロール機器２に接続されているので、後述もするように、コントロール機器２の内部にて測定信号の応答音（応答信号）を、その空間における種々の影響をも含めた形で測定することが可能となる。
【００８２】
そして、信号処理部２２のシーケンスコントローラ２２Ａは、音量制御信号によって制御するテレビ受像機３に対する制御音量値（ボリューム設定）等が予め定められた閾値以上になったか否かを判断する（ステップＳ１０４）。このステップＳ１０４の判断処理において、テレビ受像機３に対する制御音量値（ボリューム設定）が予め定められた閾値以上になったと判断したときには、接続に何らかのトラブルがあると推定されるため、ワーニングメッセージをユーザーに提示して（ステップＳ１０５）、この図４、図５に示す処理を終了する。
【００８３】
また、ステップＳ１０４においては、測定用マイクＭＩＣで測定した応答信号の音量レベルが、予め決められた閾値以上になった場合においても、スピーカ破損の危険性があるので、ワーニングメッセージをユーザーに提示して（ステップＳ１０５）、この図４、図５に示す処理を終了する。
【００８４】
ワーニングメッセージの提示態様としては、コントロール機器２が備えるＬＣＤ（Liquid Crystal Display）などの表示素子に、「接続状態に異常の可能性あり。確認してください。」などのメッセージを表示すると共に、コントロール機器２から警告音を放音したり、あるいは、メッセージ表示と警告音との内の何れか一方を行うようにしたりすればよい。この場合、信号処理部２２の制御下にＬＣＤや警告音の発生部を設けるようにしておけばよい。
【００８５】
また、ＬＥＤ（Light Emitting Diode）を点等させたり、点滅させたりすることによって警告を行うようにしたり、音声により警告メッセージを放音することも可能である。また、テレビ受像機３に供給する映像信号に警告メッセージを合成して提供し、警告メッセージをテレビ受像機３の画像表示部に表示してユーザーに提供するようにしてもよい。
【００８６】
そして、ステップＳ１０４の判断処理において、テレビ受像機３に対する制御音量値（ボリューム設定）等が予め定められた閾値以上になっていないと判断したときには、応答信号解析部２２Ｄの機能を用いて、測定用マイクＭＩＣを通じて、測定信号の安定した応答を測定できたか否かを判断する（ステップＳ１０６）。
【００８７】
ステップＳ１０６の判断処理において、安定した応答が測定できていないと判断したときには、シーケンスコントローラ２２Ａの機能により、ステップＳ１０３からの処理を繰り返し、テレビ受像機３の内蔵スピーカＴＶＬ、ＴＶＲから放音する音声の音量を上げて、テレビ受像機３の内蔵スピーカＴＶＬ、ＴＶＲから放音される測定信号に応じた音声を測定用マイクＭＩＣで受音する処理を続行する。
【００８８】
ステップＳ１０６の判断処理において、安定した応答が測定できたと判断したときには、まず、信号処理部２２が実現する応答信号解析部２２Ｄの機能により、測定用マイクＭＩＣからの応答信号を解析して、その特徴を例えばＡＶコントロール機器内に設けられたメモリに形成される設定値保存データベース２９のテレビ制御−リスニング位置音量テーブル２９Ａに記憶する（ステップＳ１０７）。具体的には、シーケンスコントローラ２２Ａの機能により音量制御信号によって制御するテレビ受像機３に対する制御音量値（ボリューム設定）と、そのときの音量レベル（応答信号についての実測値）とを関連付けて、これをテーブルとしてメモリに記録する。
【００８９】
そして、信号処理部２２のシーケンスコントローラ２２Ａは、測定上の音圧が閾値より大きくなったか否かを判断する（ステップＳ１０８）。ステップＳ１０８の判断処理において、測定上の音圧が閾値より大きくなっていないと判断したときには、ステップＳ１０３からの処理を繰り返し、規定の音圧が計測できるまで、制御音量値（ボリューム設定）を上げていき、応答信号の測定及び解析を繰り返すようにする。
【００９０】
ステップＳ１０８の判断処理において、測定上の音圧が閾値より大きくなったと判断したときには、テレビ受像機３の内蔵スピーカＴＶＬ、ＴＶＲからの測定信号の放音と、この測定信号を測定用マイクＭＩＣを通じて受音することにより得られる応答信号の測定及び解析処理を終了し、ステップＳ１０７の処理により形成したテレビ制御−リスニング位置音量テーブル２９Ａのテーブル情報に対して、必要に応じて、テーブル情報についてのカーブや直線の推定処理を行い、これに応じてテーブルの値を修正する処理を行う（ステップＳ１０９）。
【００９１】
なお、ステップＳ１０２において再生される測定信号は、特定のものに限られるものではなく、広い帯域を持つ信号であり、Ｓ／Ｎ良く測定が完了できれば、信号の種類を問わないものとする。例えば、ＴＳＰ（Time Stretched Pulse）信号でも良いし、ホワイトノイズ、ピンクノイズ、Ｍ系列ノイズなどの広帯域ノイズであってもよい。ＴＳＰ信号を使用すれば、解析ルーチンにてインパルス応答を導出することが可能であり、音量以外の情報（時間遅延など）も計測できるため、この実施の形態においては、ＴＳＰ信号を測定信号として用いるものとする。
【００９２】
応答信号から計測される音量レベルの定義も、特定のものに規定されるものではない。図６、図７は、音量レベルの定義の具体例を説明するためのフローチャートである。応答信号解析部２２Ｄにおいて、例えば、図６に示すように、応答信号をＦＦＴ（Fast Fourier Transform）して（ステップＳ２０１）、その周波数振幅レベルのうち対象となる帯域（例えば、３００Ｈｚ〜３ｋＨｚの帯域）のレベル平均値を算出し（ステップＳ２０２）、このレベル平均値を音量レベルとして用いてもよい。
【００９３】
また、応答信号解析部２２Ｄにおいて、例えば、図７に示すように、ノイズやＴＳＰ信号等の応答信号に対し、帯域フィルタを掛け（ステップＳ３０１）、帯域フィルタを掛けた時間信号の自乗をとるなどしてエネルギー値を求め（ステップＳ３０２）、この求めたエネルギー値を音量レベルとして用いても良い。
【００９４】
図８は、制御音量値が「２４」である場合における全帯域フラットのＴＳＰ測定信号の応答信号についての周波数特性を示すものである。この実施の形態の音響再生システムにおいては、図６に示した方式で求められる音量レベルを用いるものであり、図８にも示すように、３００Ｈｚ〜３ｋＨｚの帯域におけるレベル平均値を、ここでは音量レベルとしてデータベースに記録するものとする。
【００９５】
図１０は、設定値保存データベース２９の記録例を示す図である。図１０に示すように、制御音量値に対応する数値として、マイクアンプのゲイン及びＡＤＣの性能などから、リスニング位置での音量レベルを換算して記録している。具体的には、コントロール機器２においては、図１０に示すように、制御音量値と、測定応答信号リニア応答計算値と、測定応答信号音圧相当値とからなるテーブルを設定値保存データベース２９に形成する。
【００９６】
なお、図１０において、測定応答信号リニア応答計算値は、応答信号の波形から求められる値（リニア値）であり、測定応答信号音圧相当値は、応答信号をｄＢ換算した値である。
【００９７】
また、図４を用いて説明したように、テレビ受像機３の音量を徐々に上げながら、応答信号の計測を行うようにしているが、必ずしも全ての制御音量値の全てにおいて、測定応答信号リニア応答計算値や測定応答信号音圧相当値を測定し記録する必要はない。図１０に示した例のテーブルは、制御音量値を３づつ上げて測定したものである。
【００９８】
しかし、実際には、固定的な数値間隔で、測定応答信号リニア応答計算値や測定応答信号音圧相当値を測定し記録する必要もない。ここでの目的は、例えば、図９に示すような対応グラフを得ることである。すなわち、制御音量値（制御ＶＯＬ値）の変化に対応する測定応答信号音圧相当値、あるいは、測定応答信号リニア応答計算値を求めることであるので、もっとおおまかな制御ＶＯＬ値で測定を行い、グラフ作成のために必要な部分を適宜測定していく手法を用いてもよい。
【００９９】
また、図９からも分かるように、制御音量値（制御ＶＯＬ値）が小さい時には、グラフが不連続になることが予想される。これは、実空間を経て音量測定をしているため、測定信号応答だけでなく、暗騒音も合わせて測定用マイクＭＩＣに入力されるためである。したがって、図９に示した点線のように、Ｓ／Ｎが確保されていると思われるデータの部分から、正しい直線・カーブを推定し、適宜テーブルの値を書き直す必要がある。この処理が図４に示したステップＳ１０９の処理である。
【０１００】
このようにして、ステップＳ１０１からステップＳ１０９の処理により、テレビ受像機３の内蔵スピーカＴＶＬ、ＴＶＲから放音される音声を対象とする測定を行い、測定信号の応答がある程度より大きくなる場合は、ＴＶボリューム制御をそれ以上大きくすることはせず、テレビ受像機３の内蔵スピーカＴＶＬ、ＴＶＲを使った測定を終了して、図５に示す外部スピーカｏＳＬ、ｏＳＲ、ｏＣから放音される音声を対象とする測定プロセスを実行する。
【０１０１】
まず、シーケンスコントローラ２２Ａの機能を用いて、信号処理部２２内の機能として設けられるゲイン制御部を制御して、外部スピーカｏＳＬ、ｏＳＲ、ｏＣから放音する音声の音量（ボリューム）を最小に設定し、測定信号生成部２２Ｂを制御して、測定信号（テスト信号）を生成すると共に、出力切換部２２Ｃを制御して、測定信号生成部２２Ｂからの測定信号を、ＤＡＣ／ＡＭＰ２５およびスピーカ出力端子群２６のＳＬチャンネルの出力端子とＳＲチャンネルの出力端子と、Ｃチャンネルの出力端子とを通じて外部スピーカｏＳＬ、ｏＳＲ、ｏＣに供給するようにする（ステップＳ１１０）。
【０１０２】
信号処理部２２のシーケンスコントローラ２２Ａは、測定信号生成部２２Ｂを制御して、測定信号を再生するようにしながら（外部スピーカのそれぞれに供給しながら）、信号処理部２２の機能として設けられるゲイン制御部を制御して、アンプゲインを上げ、外部スピーカｏＳＬ、ｏＳＲ、ｏＣから放音する音声の音量を上げるようにする（ステップＳ１１１）。
【０１０３】
そして、信号処理部２２のシーケンスコントローラ２２Ａは、アンプゲインは等が予め定められた閾値以上になったか否かを判断する（ステップＳ１１２）。このステップＳ１１２の判断処理において、アンプゲインが予め定められた閾値以上になったと判断したときには、接続に何らかのトラブルがあると推定されるため、ワーニングメッセージをユーザーに提示して（ステップＳ１１３）、この図４、図５に示す処理を終了する。
【０１０４】
また、ステップＳ１１２においては、測定用マイクＭＩＣで測定した応答信号の音量レベルが、予め決められた閾値以上になった場合においても、スピーカ破損の危険性があるので、ワーニングメッセージをユーザーに提示して（ステップＳ１１３）、この図４、図５に示す処理を終了する。なお、ワーニングメッセージの提示態様は、図４に示した処理のステップＳ１０５において説明したものと同様である。
【０１０５】
そして、ステップＳ１１２の判断処理において、アンプゲイン等が予め定められた閾値以上になっていないと判断したときには、応答信号解析部２２Ｄの機能を用いて、測定用マイクＭＩＣを通じて、測定信号の安定した応答を測定できたか否かを判断する（ステップＳ１１４）。
【０１０６】
ステップＳ１１４の判断処理において、安定した応答が測定できていないと判断したときには、シーケンスコントローラ２２Ａの機能により、ステップＳ１１１からの処理を繰り返し、外部スピーカｏＳＬ、ｏＳＲ、ｏＣから放音する音声の音量を上げて、外部スピーカｏＳＬ、ｏＳＲ、ｏＣから放音される測定信号に応じた音声を測定用マイクＭＩＣで受音する処理を続行する。
【０１０７】
ステップＳ１１４の判断処理において、安定した応答が測定できたと判断したときには、まず、信号処理部２２が実現する応答信号解析部２２Ｄの機能により、測定用マイクＭＩＣからの応答信号を解析して、その特徴を例えばＡＶコントロール機器内に設けられたメモリに形成される設定値保存データベース２９にアンプゲイン−リスニング位置音量テーブル２９Ｂに記憶する（ステップＳ１１５）。具体的には、シーケンスコントローラ２２Ａの機能により信号処理部２２が実現するゲイン制御部におけるアンプゲインと、そのときの音量レベル（応答信号についての実測値）とを関連付けて、これをテーブルとしてメモリに記録する。
【０１０８】
そして、信号処理部２２のシーケンスコントローラ２２Ａは、測定上の音圧が閾値より大きくなったか否かを判断する（ステップＳ１１６）。ステップＳ１１６の判断処理において、測定上の音圧が閾値より大きくなっていないと判断したときには、ステップＳ１１１からの処理を繰り返し、規定の音圧が計測できるまで、信号処理部２２が実現するゲイン制御部におけるアンプゲインを上げていき、応答信号の測定及び解析を繰り返すようにする。
【０１０９】
ステップＳ１１６の判断処理において、測定上の音圧が閾値より大きくなったと判断したときには、外部スピーカｏＳＬ、ｏＳＲ、ｏＣからの測定信号の放音と、この測定信号を測定用マイクＭＩＣを通じて受音することにより得られる応答信号の測定及び解析処理を終了し、ステップＳ１１５の処理により形成したアンプゲイン−リスニング位置音量テーブル２９Ｂのテーブル情報に対して、必要に応じて、テーブル情報についてのカーブや直線の推定処理を行い、これに応じてテーブルの値を修正する処理を行い（ステップＳ１１７）、この図４、図５に示す測定プロセスを終了する。
【０１１０】
なお、この図５に示した処理においても、ステップＳ１１０における測定信号の生成は、所定の信号処理によって自動生成してもよいし、例えば信号処理部内等のメモリに予め用意されている測定信号を読み出して出力するようにしてもよい。
【０１１１】
また、ステップＳ１１０において再生される測定信号は、ステップＳ１０２において再生される測定信号と同じものであり、例えば、ＴＳＰ（Time Stretched Pulse）信号であり、その他、ホワイトノイズ、ピンクノイズ、Ｍ系列ノイズなどの広帯域ノイズなどを用いることも可能である。
【０１１２】
また、ステップＳ１１５における音量レベルも、図６に示した処理を用い、応答信号をＦＦＴして、その周波数振幅レベルのうち対象となる帯域のレベル平均値を算出を音量レベルとして用いたり、測定信号の応答信号に対し、帯域フィルタを掛け、この帯域フィルタを掛けた時間信号の自乗をとるなどしてエネルギー値を求め、これを音量レベルとして用いたりすることができるが、ステップＳ１０７の処理と同様に、ステップＳ１１５においても、ＦＦＴを用いた手法により、音量レベルを把握するようにしている。
【０１１３】
そして、ステップＳ１１５においては、図１０に示したテレビ制御−リスニング位置音量テーブル２９Ａの制御音量値がアンプゲインに変えられたアンプゲイン−リスニングポイント音量テーブルが形成されるのである。
【０１１４】
なお、図５に示したステップＳ１１０〜ステップＳ１１７の処理において制御するのはコントロール機器２に内蔵されるアンプゲイン値であり、当然ながらコントロール機器２内部の信号処理部２２はアンプゲイン値と音量レベルの関係を事前に知ることができる。したがって、ある程度Ｓ／Ｎが保証されている音圧で測定を行えば、そのテーブルは既に内部にて推定可能となり、図５に示した部分のループは簡略化、または省略が可能である。
【０１１５】
このように、この実施の形態の音響再生システムにおいては、コントロール部２が能動的に機能して実現する図４、図５に示した測定プロセスにより、テレビ受像機３の内蔵スピーカＴＶＬ、ＴＶＲについての制御音量値と測定信号に対する応答信号の音量レベルとを対応付けたテレビ制御（ＴＶ制御）−リスニング位置音量テーブル２９Ａ（図１０に示したもの）を作成すると共に、外部スピーカｏＳＬ、ｏＳＲ、ｏＣについてのアンプゲインと測定信号に対する応答信号の音量レベルとを対応付けたアンプゲイン−リスニング位置音量テーブル２９Ｂ（図１０において制御音量値をアンプゲインに変えたもの）を作成することができるものである。
【０１１６】
［再生プロセスについて］
次に、上述した測定プロセスにおいて解析して得たデータであるテレビ制御（ＴＶ制御）−リスニング位置音量テーブル２９Ａとアンプゲイン−リスニング位置音量テーブル２９Ｂとを用いて、コントロール機器２が、自機に接続された外部スピーカのみならず、テレビ受像機３の内蔵スピーカＴＶＬ、ＴＶＲをも適切に制御できるようにする音声信号の再生プロセスについて説明する。図１１は、再生プロセスを実行するコントロール機器２の構成（再生モジュール部分）を説明するためのブロック図である。
【０１１７】
図１１において、オーディオデコーダ２２Ｗ、ゲイン制御部２２Ｘ、ゲインコントローラ２２Ｙ、リモコン信号生成部２２Ｚのそれぞれは、ＤＳＰ等によって構成される信号処理部２２によって、その機能が実現されるものである。すなわち、信号処理部２２は、再生プロセスを実行するために、オーディオデコーダ２２Ｗ、ゲイン制御部２２Ｘ、ゲインコントローラ２２Ｙ、リモコン信号生成部２２Ｚの各機能を実現する。
【０１１８】
そして、上述もしたように、この実施の形態のコントロール機器２には、リモコン１００からのリモコン信号を受光するリモコン信号の受光部ＲＭが設けられている。受光部ＲＭは、例えば、フォトディテクタ２よって構成させ、リモコン１００からのリモコン信号を受光し、これを電気信号に変換して、ゲインコントローラ２２Ｙに供給することができるものである。また、ゲインコントローラ２２Ｙは、設定値保存データベース２９の各テーブルを参照することができるようにされている。
【０１１９】
その他の各部、すなわち、Ｉ／Ｆ回路２１、ＤＡＣ２３、映像音声プリアウト端子群２４、ＤＡＣ／ＡＭＰ２５、スピーカ出力端子群２６は、図２、図３を用いて説明した通りである。
【０１２０】
そして、上述もしたように、リモコン１００からの音量制御信号は、リモコン信号の受光部ＲＭで受信され、電気信号に変換されてゲインコントローラ２２Ｙに供給される。ゲインコントローラ２２Ｙは、受光部ＲＭからの音量制御信号に基づいて、ゲイン制御部２２Ｘを制御する。
【０１２１】
ゲイン制御部２２Ｘは、音声入力端子Ａｉｎ、Ｉ／Ｆ回路２１を通じて供給され、オーディオデコーダ２２Ｗにおいて、Ｌチャンネル、Ｒチャンネル、ＳＬチャンネル、ＳＲチャンネル、Ｃチャンネルの各チャンネルの音声信号に分離されたそれぞれのチャンネルの音声信号の供給を受けて、外部スピーカが接続されているチャンネルの音声信号に対して、ゲインコントローラ２２Ｙからの制御に応じてアンプゲインを調整する。
【０１２２】
そして、ゲインコントローラ２２Ｙは、ゲイン制御部２２Ｘにおける外部スピーカに供給する音声信号に対するアンプゲインに基づいて、設定値保存データベース２９のアンプゲイン−リスニング位置音量テーブル２９Ｂを参照することにより、外部スピーカｏＳＬ、ｏＳＲ、ｏＣから放音される音声の音量レベルが特定できる。
【０１２３】
この特定した音量レベルに基づいて、ゲインコントローラ２２Ｙは、設定値保存データベース２９のテレビ制御（ＴＶ制御）−リスニング位置音量テーブル２９Ａを参照することによって、テレビ受像機３に対する制御音量値（ＴＶ−ＶＯＬ）が特定できる。この特定した制御音量値に応じた音量制御信号を形成するように、ゲインコントローラ２２Ｙは、リモコン信号生成部２２Ｚを制御する。
【０１２４】
リモコン信号生成部２２Ｚは、ゲインコントローラ２２Ｙの制御に応じて、音量制御信号を形成し、これをリモコン信号送出部ＣＴｏを通じてテレビ受像機３に供給する。これにより、コントロール機器２は、外部スピーカｏＳＬ、ｏＳＲ、ｏＣから放音される音声の音量のみならず、テレビ受像機３の内部スピーカＴＶＬ、ＴＶＲから放音される音声の音量をも適切に制御することができるようにしている。
【０１２５】
次に、主にコントロール機器が動作することにより、テレビ受像機３の内蔵スピーカＴＶＬ、ＴＶＲをも含めたこの実施の形態の音響再生システム全体にける音量をバランス良く調整する処理を図１２のフローチャートを参照しながら説明する。図１２は、コントロール機器２の主に信号処理部２２において実行される音量調整処理（再生プロセス）を説明するためのフローチャートである。すなわち、図１２に示す処理は、リモコン信号の受光部ＲＭを通じて音量調整信号（リモコン信号）を受光した場合に、信号処理部２２において実行される。
【０１２６】
音量調整信号を受光すると、ゲインコントローラ２２Ｙは、ゲイン制御部２２Ｘを制御して、「ＡＶアンプ内蔵のアンプゲインの適正変更」を実行する（ステップＳ４０１）。このステップＳ４０１における「適正変更」という文言は以下の意味を含むものである。
【０１２７】
すなわち、測定値を記録した設定値保存データベース２９に関して、コントロール機器２に直接接続された外部スピーカｏＳＬ、ｏＳＲ、ｏＣの間にも、スピーカの感度差や、空間配置における音圧減衰・増加などにより、リスニング位置において差が出ているのが通常である。
【０１２８】
これに関しては、従来から自動音場補正機能などで採用されているものと同じであり、例えば、その「補正目標値」を適正ゲインレベルにおける外部スピーカに対する各チャンネルＳＬ、ＳＲ、Ｃの測定平均値とする、または、各チャンネルＳＬ、ＳＲ、Ｃのうち一番感度が良いものに合わせて他のスピーカのゲインを上げる、などの手法が考えられる。
【０１２９】
上記の意味を踏まえ、ステップＳ４０１の処理により、コントロール機器２に接続された外部スピーカｏＳＬ、ｏＳＲ、ｏＣに出力する音声信号に対する適正なゲイン変更を終えた後、ＴＶ内蔵スピーカの音量制御に移る。
【０１３０】
コントロール機器２上でのアンプゲイン（ボリューム値）と測定信号応答としての音量レベルは、前述のようにデータベース（アンプゲイン−リスニング位置音量テーブル）上既知であるので、ゲインコントローラ２２Ｙは、現在のアンプゲインに基づいて、アンプゲイン−リスニング位置音量テーブルを参照し、外部スピーカから放音される音声の音量レベルを推定（特定）する（ステップＳ４０２）。なお、アンプゲインから演算により、外部スピーカから放音される音声の音量レベルを推定（特定）するようにしてもよい。
【０１３１】
次に、ゲインコントローラ２２Ｙは、外部スピーカの音量レベルに基づいて、もう１つのデータベース（テレビ制御−リスニング位置音量テーブル）を参照し、対応するテレビ受像機３の制御音量値（制御ＶＯＬ値）を推定（算出）する（ステップＳ４０３）。この場合データベースの情報をそのまま用いてもよいし、補間などを行うことによって、より適した制御音量値を算出することにより、精度を向上させることもできる。
【０１３２】
すなわち、上述もしたように、暗騒音の影響などを考慮してデータベースのテーブル値そのものの値を修正していたが、この再生時点にて、必要な音量レベル値を満たす制御音量値（ＶＯＬ値制御用の値）を、図９に示したようなグラフの点線直線またはカーブを逐次計算することにより算出しても良い。
【０１３３】
そして、ゲインコントローラ２２Ｙは、ステップＳ４０３において推定したテレビ受像機３の制御音量値に基づいて、リモコン信号生成部２２Ｚを制御し、適切な値分だけテレビ受像機３の内蔵スピーカＴＶＬ、ＴＶＲから放音する音声の音量を調整する音量制御信号を形成し、これをリモコン信号としてリモコン信号送信部ＣＴｏを通じて、テレビ受像機３に送信する（ステップＳ４０４）。
【０１３４】
これにより、コントロール機器２は、自機に接続された外部スピーカｏＳＬ、ｏＳＲ、ｏＣから放音する音声の音量を適切に制御することができると共に、テレビ受像機３の内蔵スピーカＴＶＬ、ＴＶＲから放音するＬチャンネル、Ｒチャンネルの音声信号についても適切に音量の制御を行うことができるようにされる。すなわち、外部スピーカのみならず、テレビ受像機３の内蔵スピーカを含めた音響再生システムの全てのスピーカから放音する音声の音量を適切に制御し、良好な聴取環境を実現することができる。
【０１３５】
［変形例］
上述した実施の形態の音響再生システムは、図１、図２に示したように、コントロール機器２に対して、テレビ受像機３が接続されると共に、外部スピーカｏＳＬ、ｏＳＲ、ｏＣが直接に接続されて形成されたものとして説明した。しかし、このように構成されたシステムだけにこの発明が適用可能なわけではない。コントロール機器２に対して、スピーカを内蔵した機器を複数接続したり、また、スピーカが接続された機器を複数接続したりして構成する音響再生システムにもこの発明を適用することができる。
【０１３６】
図１３は、この発明が適用可能な音響再生システムの他の例を説明するための図である。図１３に示す音響再生システムは、コントロール機器２に対して、スピーカ内蔵装置４、スピーカ内蔵装置５、アンプ機器６、アンプ機器７が接続されて構成されたものである。
【０１３７】
コントロール機器２は、上述した実施の形態のコントロール機器２と基本的には同様に構成されたものであり、図示しない再生機器から少なくとも音声信号の供給を受けて、これを自機に接続された機器に分配することができるものである。そして、図１３に示すコントロール機器２は、各機器との間において、実線で示す音声信号線路と点線で示す制御信号線路とによって接続されている。
【０１３８】
そして、コントロール機器２は、スピーカ内蔵装置４に対しては音声信号Ａｕ１と制御信号ＣＴ１を供給することができ、スピーカ内蔵装置５に対しては音声信号Ａｕ２と制御信号ＣＴ２を供給することができ、アンプ機器６に対しては音声信号Ａｕ３、Ａｕ４と制御信号ＣＴ３を供給することができ、アンプ機器７に対しては音声信号Ａｕ５、Ａｕ６と制御信号ＣＴ４を供給することができるようにされている。
【０１３９】
スピーカ内蔵装置４、５は、いわゆるアンプ内蔵スピーカであり、例えば、スピーカ付きＣＤ（Compact Disc）プレイヤーなどの場合もある。これらスピーカ内蔵装置４、５は、コントロール機器２から供給される音声信号に応じた音声を内蔵スピーカ４１、５１から放音することができるものであるが、その音量をコントロール機器２からの制御信号ＣＴ１、ＣＴ２によって制御可能な構成になっている。
【０１４０】
また、アンプ機器６はスピーカ６１、６２が接続されたものであり、アンプ機器７はスピーカ７１、７２を備えたものである。これらアンプ機器６、７のそれぞれは、コントロール機器２から供給される音声信号に応じた音声を、自機に接続されたスピーカ６１、６２、７１、７２から放音することができるものであるが、その音量をコントロール機器２からの制御信号ＣＴ３、ＣＴ４によって制御可能な構成になっている。
【０１４１】
そして、コントロール機器２は、実際に楽曲などの音声信号を再生するに先立って、スピーカ内蔵装置４、５、アンプ機器６、７のそれぞれに対して、図４に示したステップＳ１０１〜ステップＳ１０９までの処理からなる測定プロセスを実行し、各機器４、５、６、７について、図１０に示したような制御内容とリスニング位置における音量レベルとを関連付けたテーブル（機器制御−リスニング位置音量テーブル）を作成しておく。
【０１４２】
そして、楽曲などの聴取対象の音声信号の再生時において、コントロール機器２に対して、リモコンなどを通じて音量調整を行うようにすると、コントロール機器２のＤＳＰ等により構成される信号処理部は、各機器の機器制御−リスニング位置音量テーブルを参照し、各機器のスピーカから放音される音声の音量レベルがリスニングポイント（聴取位置）において同じレベルとなるように、機器毎に音量制御信号が形成されて各機器に供給される。これにより、コントロール機器２に接続された各機器の音量制御を個別にかつ適正に行うことができる。
【０１４３】
このように、この発明は、図１３に示したように、スピーカ内蔵機器やスピーカを接続可能な機器を複数接続して構成される音響再生システムにも適用可能である。したがって、図１〜図１２を用いて上述した実施の形態においては、音量調整が必要な２つの機器を接続し、制御する側をＡＶアンプなどのコントロール機器、制御される側をテレビ受像機とした。しかし、組み合わせは逆でも良く、各機器の種類を特定するものではない。またコントロールされる対象機器は１つである必要はなく、図１３を用いて説明したように、２つ以上においても適用できる。
【０１４４】
また、現実的には事前にＡＶアンプなどのコントロール機器からコントロール手段が存在するかどうか調査確認が必要である。これに関しては、音量のコントロールを事前に行うようにして制御可能か否かを判断するなど、種々の方法を用いることが可能である。
【０１４５】
また、この発明の機能を使用するために、ユーザーが正しく機器間を接続し、機器内部の入力／出力切り替えをセットしているかどうかの確認も実用上必要となるが、ここではすべて準備済みとしている。しかし、自動的に、機器間の接続が正しく接続されており、機器内部の入力／出力切り替えも正しくセットしているかの確認を自動的に行うようにすることも可能である。
【０１４６】
また、上述した実施の形態において、重要なポイントは、以下に示す（１）〜（３）の３つのポイントを上げることができる。すなわち、  
（１）１つ以上のスピーカ内蔵またはスピーカ接続機器に対して、ボリューム制御機能を備えるコントロール機器２からスピーカ内蔵機器やスピーカ接続機器に向けて、必要帯域を持つ測定信号を送出し、この応答をマイクロホンで受音する。マイクロホンで受音した応答信号はコントロール機器２内で解析され、制御音量値（制御ボリューム値）と対応する音量をデータベースにて記録する。
【０１４７】
（２）すべてのスピーカ内蔵機器やスピーカ接続機器のボリューム（ゲイン）と音量の関連性が記述されたテーブル（データベース）を参照することにより、コントロール機器２に対するボリューム操作により、接続された１つ以上のスピーカ内蔵機器やスピーカ接続機器などのすべてのスピーカの出力音量を、ゲインコントロール又は外部制御を用いることにより調整する。
【０１４８】
（３）ボリュームまたはゲイン値と音量の関係を示すテーブル（データベース）の構築時、または参照時に、暗騒音の影響を考慮して適切なＳ／Ｎを確保できている測定音量時のデータから、そのカーブまたは直線を推定し、それらに従って他機器のボリューム調整時に参照データを引き渡す。
【０１４９】
この（１）〜（３）の３つのポイントを実現することによって、コントロール機器に対して音量調整の指示を出すだけで、コントロール機器がスピーカ内蔵装置やスピーカ接続機器を適正に制御し、音響再生システム内の全てのスピーカから放音される音声の音量を適切に制御することができる。
【０１５０】
なお、図４、図５に示したフローチャートは、この発明による方法が適用されたものである。そして、図１３に示したように、テレビ受像機などのスピーカ内蔵機器やパワーアンプなどのスピーカ接続機器であるスピーカ機器が、複数接続されている場合においては、各スピーカ機器に対応して、図４に示したステップＳ１０１〜ステップＳ１０９までの処理からなる測定プロセスを実行することにより各スピーカ機器の制御音量値−リスニングポイント音量テーブルを作成することができる。
【０１５１】
このようにして作成された各スピーカ機器の制御音量値−リスニングポイント音量テーブルを用いて、図１２に示した再生プロセスを実行することにより、各スピーカ機器から放音される音声のリスニングポイントにおける音量レベルが均一になるように制御することが可能となる。
【０１５２】
また、各スピーカ機器に対応して実行するように、図４に示したステップＳ１０１〜ステップＳ１０９までの処理からなるプログラムを作成し、これをＡＶアンプなどのコントロール機器に搭載して、ＤＳＰやＣＰＵなどのコンピュータで実行するようにすれば、種々のコントロール機器に、上述した測定プロセスを実行する機能を搭載することができる。
【０１５３】
また、図１２に示した各処理からなるプログラムを作成し、これをＡＶアンプなどのコントロール機器に搭載して、ＤＳＰやＣＰＵなどのコンピュータで実行するようにすれば、種々のコントロール機器に、上述した再生プロセスを実行する機能を搭載することができる。
【０１５４】
なお、上述した実施の形態においては、測定プロセスの各機器に対応した処理の最終段階において、設定値保存データベース２９に形成される各テーブルの測定値（音量レベル）を修正するようにしたが、これに限るものではない。音声信号の再生時において、音量の調整が指示された場合に、各テーブルの測定値（音量レベル）を修正するなど、適宜のタイミングで各テーブルの測定値（音量レベル）を修正するようにすることももちろん可能である。
【図面の簡単な説明】
【０１５５】
【図１】この発明の一実施の形態が適用されて構成されたマルチチャンネルの聴取システムの外観および接続の概要を説明するための図である。
【図２】図１に示したシステムの接続状態と各機器の内部構成の概要を説明するためのブロック図である。
【図３】測定プロセスを実行するコントロール機器２の構成（測定モジュール部分）を説明するためのブロック図である。
【図４】測定プロセスのシーケンス（処理順序）を説明するためのフローチャートである。
【図５】図４に続くフローチャートである。
【図６】音量レベルの定義の具体例を説明するためのフローチャートである。
【図７】音量レベルの定義の他の具体例を説明するためのフローチャートである。
【図８】、制御音量値が「２４」である場合における全帯域フラットのＴＳＰ測定信号の応答信号についての周波数特性を示す図である。
【図９】制御音量値（制御ＶＯＬ値）の変化に対応する測定応答信号音圧相当値の変化を示すグラフの例を示す図である。
【図１０】設定値保存データベース２９の記録例を示す図である。
【図１１】再生プロセスを実行するコントロール機器２の構成（再生モジュール部分）を説明するためのブロック図である。
【図１２】コントロール機器２の主に信号処理部２２において実行される音量調整処理（再生プロセス）を説明するためのフローチャートである。
【図１３】この発明が適用可能な音響再生システムの他の例を説明するための図である。
【符号の説明】
【０１５６】
１…再生装置、２…ＡＶコントロール機器、Ｖｉｎ…映像信号入力端子、Ａｉｎ…音声信号入力端子、２１…Ｉ／Ｆ回路、２２…信号処理部、２２Ａシステムコントローラ、２２Ｂ…測定信号生成部、２２Ｃ…出力切換部、２２Ｄ…応答信号解析部、２２Ｗ…オーディオデコーダ、２２Ｘ…ゲイン制御部、２２Ｙ…ゲインコントローラ、２２Ｚ…リモコン信号生成部、２３…ＤＡＣ、２４…映像音声プリアウト端子群、２５…ＤＡＣ／ＡＭＰ、２６…スピーカ出力端子群、ＲＭ…リモコン信号の受光部、Ｍｉｎ…マイク入力端子、２７…マイクアンプ、２８…ＡＤＣ、２９…設定値保存データベース、２９Ａ…テレビ制御−リスニング位置音量テーブル、２９Ｂ…アンプゲイン−リスニング位置音量テーブル、３…テレビ受像機、３１…映像音声入力端子群、３２…画像表示部、３３Ｌ…Ｌチャンネル用アンプ、３３Ｒ…Ｒチャンネル用アンプ、３４…音量コントローラ、ＴＶＲ…Ｒチャンネル用内蔵スピーカ、ＴＶＬ…Ｌチャンネル用内蔵スピーカＴＶＬ、外部スピーカ…ｏＣ、ｏＳＬ、ｏＳＲ
【図１】
2007306444.tif 000003
【図２】
2007306444.tif 000004
【図３】
2007306444.tif 000005
【図４】
2007306444.tif 000006
【図５】
2007306444.tif 000007
【図６】
2007306444.tif 000008
【図７】
2007306444.tif 000009
【図８】
2007306444.tif 000010
【図９】
2007306444.tif 000011
【図１０】
2007306444.tif 000012
【図１１】
2007306444.tif 000013
【図１２】
2007306444.tif 000014
【図１３】
2007306444.tif 000015